(57)【要約】【課題】貫通孔を多数有するシートから筒状体が形成された毛髪保持具において、貫通孔の形成時に生じたバリによる毛髪の切断や損傷を防止できる毛髪保持具を提供すること。【解決手段】一端の開口部２１から他端の開口部２２に向けて毛髪束を挿通可能にシート２３Ａ、２３Ｂにより構成された扁平形状の筒状体２からなり、筒状体２の一方の面を形成するシート２３Ａは、貫通孔３を多数有しており、一方の面を形成するシート２３Ａと他方の面を形成するシート２３Ｂとは、貫通孔３の周縁が平滑な面を筒状体２の内側に向けて接合されている。【選択図】図１
2006129972.tif 000002
【特許請求の範囲】
【請求項１】
一端の開口部から他端の開口部に向けて毛髪束を挿通可能にシートにより構成された扁平形状の筒状体からなり、
前記筒状体の一方の面を形成する前記シート及び／又は他方の面を形成する前記シートは、貫通孔を多数有しており、該一方の面を形成するシートと該他方の面を形成するシートとは、該貫通孔の周縁が平滑な面を前記筒状体の内側に向けて接合されている毛髪保持具。
【請求項２】
前記貫通孔を有する前記一方の面を形成するシート及び／又は前記他方の面を形成するシートは、該貫通孔の開口率が５％以上である請求項１記載の毛髪保持具。
【請求項３】
前記貫通孔は、打ち抜き加工により形成されており、前記貫通孔の周縁が平滑な面は、該貫通孔の打ち抜き方向の反対方向側の面である請求項１又は２に記載の毛髪保持具
【請求項４】
前記一方の面を形成するシートは、前記貫通孔を有するシートであり、前記他方の面を形成するシートは、その幅方向に延びるスリットを長手方向に離間させて多数有するシートである請求項１〜３の何れかに記載の毛髪保持具。
【発明の詳細な説明】
【技術分野】
【０００１】
本発明は、毛髪束を所定の形状に巻回するときに用いられる毛髪保持具に関する。
【背景技術】
【０００２】
下記特許文献１には、一端の開口部から他端の開口部に向けて毛髪束を挿通可能にシートにより構成された扁平形状の筒状体からなる毛髪保持具が開示されている。特許文献１記載の毛髪保持具においては、筒状体を構成するシートに多数の貫通孔が形成されている。シートへの貫通孔の形成方法としては、打ち抜き加工が一般的であるが、打ち抜き加工により貫通孔を形成すると、貫通孔の周縁に打ち抜き方向に突出するバリが生じる。
【０００３】
【特許文献１】米国特許第３２５５７６５号明細書
【発明の開示】
【発明が解決しようとする課題】
【０００４】
しかし、特許文献１には、貫通孔が形成されたシートをどのように形態で接合して筒状体を形成するかについて何等記載されていない。従って、特許文献１記載の毛髪保持具においては、貫通孔の周縁に生じたバリが筒状体の内側に向いている場合があり、その場合、このバリにより筒状体の内部に挿通された毛髪が切れたり、損傷する恐れが高い。
【０００５】
従って、本発明の目的は、貫通孔を多数有するシートから筒状体が形成された毛髪保持具において、貫通孔の形成時に生じたバリによる毛髪の切断や損傷を防止できる毛髪保持具を提供することにある。
【課題を解決するための手段】
【０００６】
本発明は、一端の開口部から他端の開口部に向けて毛髪束を挿通可能にシートにより構成された扁平形状の筒状体からなり、前記筒状体の一方の面を形成する前記シート及び／又は他方の面を形成する前記シートは、貫通孔を多数有しており、該一方の面を形成するシートと該他方の面を形成するシートとは、該貫通孔の周縁が平滑な面を前記筒状体の内側に向けて接合されている毛髪保持具を提供することにより、上記目的を達成したものである。
【発明の効果】
【０００７】
本発明の毛髪保持具によれば、貫通孔を多数有するシートから筒状体が形成された毛髪保持具において、バリ取りなどの２次加工なしで貫通孔の形成時に生じたバリによる毛髪の切断や損傷を防止できる。
【発明を実施するための最良の形態】
【０００８】
以下、本発明の毛髪保持具を、その好ましい一実施形態について、図１及び図２を参照しながら説明する。
本実施形態の毛髪保持具１は、図１及び図２に示すように、一端の開口部２１から他端の開口部２２に向けて毛髪束Ｈを挿通可能にシート２３Ａ、２３Ｂにより構成された扁平形状の筒状体２からなり、筒状体２の一方の面を形成するシート２３Ａは、貫通孔３を多数有しており、一方の面を形成するシート２３Ａと他方の面を形成するシート２３Ｂとは、貫通孔３の周縁が平滑な面を筒状体２の内側に向けて接合されている。
【０００９】
本実施形態の毛髪保持具１について更に詳述すると、本実施形態の毛髪保持具１は、筒状体２と延設部４と巻き締め片７とを主体として構成されている。
筒状体２は、図１に示すように、一端の開口部２１から他端の開口部２２に向けて毛髪束Ｈを挿通可能にシート２３Ａ、２３Ｂにより構成された扁平形状を有している。筒状体２は、その一方の面を形成するシート（以下「一面シート」ともいう）２３Ａとその他方の面を形成するシート（以下「他面シート」ともいう）２３Ｂとを、その長手方向に沿う側縁部２４、２４同士で接合させて形成されている。
筒状体２の大きさは、長さ５０〜３５０ｍｍ、長径２０〜１００ｍｍ、短径０〜３０ｍｍであることが好ましく、毛髪の長さやくせ付けしたい場所、挿入する毛髪束の量に応じて適宜選択できる。
【００１０】
筒状体２を構成する一面シート２３Ａ，他面シート２３Ｂとしては、各種可撓性材料が用いられ、例えば、不織布（ポリエチレン不織布、ポリエチレンテレフタレート不織布等）、織布、多孔性又は非多孔性の樹脂フィルム（ポリエチレンフィルム、ポリエチレンテレフタレートフィルム等）、紙、高分子材料シート、ゴムシート、又はこれらの複合体等が挙げられる。
【００１１】
一面シート２３Ａは、貫通孔３を有するシートで、一面シート２３Ａには、多数の貫通孔３が全面的に分布して形成されている。貫通孔３は、一面シート２３Ａにおける毛髪処理液の透過性を高めることを主目的として形成されているもので、本実施形態においては、打ち抜き加工により形成されている。１個の貫通孔３の開口面積は、好ましくは１ｍｍ2〜５０ｍｍ2である。
【００１２】
貫通孔３を有するシート（本実施形態では一面シート２３Ａ）の開口率（貫通孔の開口面積の総和／貫通孔を有するシートの面積）が５％以上であることが好ましく、１０％〜５０％であることが更に好ましい。ここで、「貫通孔を有するシートの面積」は、該シートに筒状体２を構成しない部分がある場合には、該部分を除いた面積とする。
【００１３】
他面シート２３Ｂは、その幅方向に延びるスリット６を長手方向に離間させて多数有するシートである。スリット６は、他面シート２３Ｂの伸長性を高めることを主目的として形成されているものである。本実施形態においては、スリット６の両端部６Ｂは打ち抜き加工により円形に形成されており、両端部６Ｂ以外の中央部６Ａは薄刃による切断加工により形成されている。
【００１４】
本実施形態においては、一面シート２３Ａは、坪量１５０ｇ／ｍ2のポリエステル系不織布で、半径φ４ｍｍの円形の貫通孔３が打ち抜き加工により開口率１６％で形成されている。また、他面シート２３Ｂは、坪量５０ｇ／ｍ2のポリエステル系不織布で、スリット６が１０個形成されている。
【００１５】
本実施形態においては、前述したように、一面シート２３Ａには打ち抜き加工により貫通孔３が形成されており、他面シート２３Ｂには打ち抜き加工及び切断加工によりスリット６が形成されているが、打ち抜き加工又は切断加工により形成された貫通孔３の周縁又はスリット６の周縁には、打ち抜き方向又は切断方向に延出するバリＢが通常生じる。図２（ａ）には、模式的にバリＢを強調して模式的に図示した一面シート２３Ａを示してある。即ち、図２（ａ）において、一面シート２３Ａを図面における上方から下方に向けて打ち抜くことにより、貫通孔３が形成され、その周縁に打ち抜き方向（図面における下向き）に延出するバリＢが生じる。同様に、他面シート２３Ｂにおいても、スリット６の周縁に、打ち抜き方向又は切断方向に延出するバリＢが生じる〔図２（ｂ）参照〕。一方で、図２（ｂ）に示すように、貫通孔３の打ち抜き方向の反対方向側の面及びスリット６の打ち抜き加工及び切断加工の反対方向側の面は、貫通孔３の周縁及びスリット６の周縁が平滑な面となっている。
【００１６】
本実施形態においては、図２（ｂ）に示すように、一面シート２３Ａと他面シート２３Ｂとは、貫通孔３の周縁及びスリット６の周縁が平滑な面を筒状体２の内側に向けて、換言すると、貫通孔３の形成時に生じたバリＢ及びスリット６の形成時に生じたバリＢを筒状体２の外側に向けて接合されている。筒状体２は、一面シート２３Ａ及び他面シート２３Ｂをそれぞれ別個に形成した後、一面シート２３Ａと他面シート２３ＢとをバリＢが外側に向くように貼り合わせて形成することができる。
【００１７】
筒状体２の一端の開口部２１の端部近傍には、図１に示すように、一面シート２３Ａから筒状体２の長手方向に延出した延設部４が設けられている。本実施形態においては、一面シート２３Ａと延設部４とは一体形成されている。
【００１８】
延設部４における他面シート２３Ｂとの反対側には、巻き留め部５が設けられている。巻き留め部５は、他面シート２３Ｂに係合可能なもので、巻き上げ状態の筒状体２を巻き留め部５に係合させることにより筒状体２の巻き上げ状態を維持するものである。巻き留め部５としては、他面シート２３Ｂに係合可能なものであれば種々のものを用いることができ、本実施形態においては、メカニカルファスナーのオス部材を用いている。
【００１９】
筒状体２の他端の開口部２２近傍の両側縁部２４には、それぞれ、両側縁部２４から筒状体２の幅方向に延出する巻き締め片７，７が設けられている。巻き締め片７は、一面シート２３Ａから延出して一体的に形成されており、その基端から自由端に向けて徐々に幅が細くなる台形形状を有している。尚、巻き締め片７の形成方法、形状、大きさ、厚さ、配置等は適宜設定できる。
【００２０】
次に、本発明の毛髪保持具の前記実施形態の一使用態様として、パーマ処理により毛髪（頭髪）に直接カールを付与する場合について、図３を参照しながら説明する。
先ず、毛髪束Ｈの量や得ようとするカール形状に応じて、適当な長さ及び幅を有する筒状体２からなる毛髪保持具１を用い、図３（ａ）に示すように、筒状体２の一端の開口部２１を楕円形状に開口し、毛髪束Ｈを開口部２１の中へ挿入する。
【００２１】
毛髪束Ｈを筒状体２に挿通させた後、図３（ｂ）に示すように、筒状体２をその他端の開口部２２の側から、一方のシート２３Ａを内側にして巻き上げる。この際、巻き締め片７を手で把持して筒状体２を巻き上げると、筒状体２を容易に且つ必要に応じてきつく巻き上げることができる。また、巻き上げ時に外側となる他面シート２３Ｂは、スリット６を備えており伸長性が高いため、筒状体２をスムーズに巻き上げることができる。
筒状体２を巻き上げた後、図３（ｃ）に示すように、巻き留め部５と他面シート２３Ｂとを係合させる。その結果、筒状体２が所定の巻径の巻き上げ状態で固定される。
【００２２】
その後、筒状体２の外側からパーマ用の毛髪処理剤を毛髪束Ｈに付与する。毛髪処理剤は、主として、一面シート２３Ａの貫通孔３及び他面シートのスリット６を通じて、毛髪束Ｈに付与される。所定時間後、筒状体２から毛髪束Ｈを挿脱し、洗髪等して、パーマ処理を完了する。
尚、筒状体２の開口部２１から毛髪束Ｈを挿入させる際に、必要に応じ、該開口部２１を真円状に開口した方が、毛髪束Ｈをスムーズに挿入させ易い。毛髪束Ｈをフック可能なフック部が設けられた毛髪挿入具を用いると、毛髪束Ｈを筒状体２に容易に挿通できる。毛髪束Ｈの先端を筒状体２の他端の開口部２２からはみ出させてもよい。
【００２３】
本実施形態の毛髪保持具１によれば、筒状体２を構成する一面シート２３Ａにおける貫通孔３に生じたバリＢ及び他面シート２３Ｂにおけるスリット６に生じたバリＢが筒状体２の外側を向き、貫通孔３の周縁及びスリット６の周縁の平滑な面が筒状体２の内側を向
いている。そのため、図２（ｂ）に示すように、筒状体２の内部に挿通させた毛髪束Ｈには、貫通孔３の周縁及びスリット６の周縁の平滑な面が接触するが、バリＢが接触することがなく、バリＢを原因とする毛髪の切れや損傷を防止できる。
【００２４】
本発明の毛髪保持具は、前記実施形態に制限されることなく、本発明の趣旨を逸脱しない限り、適宜変更が可能である。
前記実施形態においては、一面シート２３Ａが、貫通孔３を有するシートであり、他面シートが、スリット６を有するシートであるが、本発明においては、例えば、一面シート及び他面シートの両方を、貫通孔を有するシートとすることができ、また、一面シートを、貫通孔を有するシートとし、他面シートを貫通孔、スリット等の開口部を有しないシート（つまり、バリがないシート）とすることもできる。
貫通孔は、打ち抜き加工以外にも、例えば、レーザー加工により形成することができる。
【００２５】
筒状体は、その形成方法について特に制限はなく、シートを縫合、融着又は接着して形成したものでもよい。
尚、本発明の毛髪保持具における「筒状体」を構成するシート材の形状及びその表面状態は、上述の形態の筒状体を形成可能なものであれば良く、「扁平形状」という場合、シート材の表面は、凹凸面であってもよい。
【００２６】
また、本発明の毛髪保持具は、パーマ処理により毛髪にカールを付与する場合に限らず、毛髪束を巻回した後、ドライヤー等により熱処理したり、乾燥した毛髪を巻回状態で保持したり、濡れた状態の毛髪を巻回状態で保持し自然乾燥させたりして、毛髪にカールを付与する場合等にも適用することができる。
【図面の簡単な説明】
【００２７】
【図１】図１は、本発明の毛髪保持具の一実施形態を示す斜視図で、（ａ）は正面斜視図、（ｂ）は背面斜視図である。
【図２】図２は、筒状体を構成するシートに生じたバリを強調して示した模式的断面図で、（ａ）は一面シートを示す図、（ｂ）は毛髪束が挿通された筒状体を示す図である。
【図３】図３（ａ）〜（ｃ）は、図１に示す毛髪保持具を用いて毛髪束にカールを付与する手順を順次示す斜視図である。
【符号の説明】
【００２８】
１  毛髪保持具
２  筒状体
２１、２２  開口部
２３Ａ，２３Ｂ  シート
２４  側縁部
３  貫通孔
４  延設部
５  巻き留め部
６  スリット
７  巻き締め片
Ｂ  バリ
Ｈ  毛髪束
【図１】
2006129972.tif 000003
【図２】
2006129972.tif 000004
【図３】
2006129972.tif 000005